(57)【要約】【課題】  施工後に法面から部材の突出を無くし、植生後に部材を早期に見えなくして優れた景観にできるとともに歩行時も安全で、少ない部材で作業に伴う労力を低減できる施工性及び経済性に優れる補強筋法面工を提供する。【解決手段】  法面Ｎの地盤Ｇに複数の地中アンカー１をそのアンカー引張部材２の頭部２ａが法面Ｎから突出しないように所定間隔おいて打設し、打設した法面Ｎに植生マット４と保護ネット５を重ねて敷設し、押えプレート１０の筒体１０ａを地中に埋入しながらその孔をアンカー引張部材２の頭部２ａに挿入して植生マット４と保護ネット５を法面Ｎに押し付け、押えプレート１０とアンカー引張部材２の頭部２ａとを筒体１０ａ内で締具により締着して植生マット４と保護ネット５を法面Ｎに固定する。【選択図】図７
2007039974.tif 000002
【特許請求の範囲】
【請求項１】
法面地盤に複数の地中アンカーを所定間隔おいて打設して法面からアンカー引張部材の頭部を突出させ、打設した法面に植生マットを敷設し、植生マットの上面に保護ネットを重ねて敷設し、板材の中央部を穿孔して押えプレートとし、同押えプレートの孔を地中アンカーのアンカー引張部材の頭部に挿入して植生マットと保護ネットを法面に押し付け、押えプレートとアンカー引張部材の頭部とを締具により締着し、植生マットと保護ネットを法面に固定して保護・緑化できるようにしたことを特徴とする、補強筋法面工。
【請求項２】
地中アンカーの打設が、法面地盤を掘削した削孔に固化材を注入し、同固化材の硬化前にアンカー引張部材をその頭部が露出するようにして削孔に挿入し、固化材を硬化させてアンカー引張部材を固定するようにしたものである、請求項１記載の補強筋法面工。
【請求項３】
法面地盤に複数の地中アンカーをそのアンカー引張部材の頭部が法面から突出しないように所定間隔おいて打設し、打設した法面に植生マットを敷設し、植生マットの上面に保護ネットを重ねて敷設し、上方が開放され且つ底部が穿孔された筒体の開放縁部に板状の押え片を形成して押えプレートとし、同押えプレートの筒体を地中に埋入しながら筒体の孔をアンカー引張部材の頭部に挿入して植生マットと保護ネットを押え片で法面に押し付け、押えプレートとアンカー引張部材の頭部とを押えプレートの筒体内で締具により締着して植生マットと保護ネットを法面に固定し、アンカー引張部材の頭部を法面から突出させないようにして法面を保護・緑化できるようにしたことを特徴とする、補強筋法面工。
【請求項４】
締着した押えプレートの筒体内に固化材を充填して被覆し、押えプレートの上面を平坦に形成できるようにした、請求項３記載の補強筋法面工。
【請求項５】
地中アンカーの打設が、法面地盤を掘削した削孔にアンカー引張部材の頭部が露出できる量の固化材を注入し、同固化材の硬化前にアンカー引張部材をその頭部が露出するようにして削孔に挿入し、固化材を硬化させてアンカー引張部材を固定するようにしたものである、請求項３又は４いずれか記載の補強筋法面工。
【請求項６】
地中アンカーの打設が、法面地盤にアンカー引張部材を直接圧入し、地盤との摩擦力でアンカー引張部材を固定するようにしたものである、請求項１〜５いずれか記載の補強筋法面工。
【請求項７】
押えプレートに小孔を複数形成し、小孔を通じて植物が押えプレートの上方に植生できるようにした、請求項１〜６いずれか記載の補強筋法面工。
【発明の詳細な説明】
【技術分野】
【０００１】
本発明は、法面の表土の崩落と流出を防止して植生を良好にする補強筋法面工に関する。
【背景技術】
【０００２】
従来の補強筋法面工としては特許文献１に示されるものが提案されている。この技術は、法面地盤に地中アンカーを所定間隔で打設して法面からアンカー引張部材の頭部を突出させ、打設した法面に植生シートと保護ネットを重ねて敷設し、フレーム状の連接部材をアンカー引張部材間に縦横に配置するとともに、連接部材をアンカー引張部材の位置で連結した状態にしてアンカー引張部材の締具で連接部材を締着し、アンカー引張部材で締着した縦横の連接部材で保護ネット及び植生シートを法面に固定して植生させることを特徴としている。
【０００３】
この技術によれば、安価で且つ短い工期で容易に施工でき、植生シートと保護ネットで表土の崩落と流出を防止して植生を良好にすることができる。ところで、前記技術では多数の重い部材が必要で作業に労力を伴いコストもかかるものであった。また、地中アンカーの頭部を締着用として法面から突出させるように打設するから、施工後に法面から地中アンカーの頭部や連接部材が突出した状態となり、植生後も部材が見えて景観を悪化させるとともに歩行時も危険であった。
【特許文献１】特許第３４９９４８８号公報
【発明の開示】
【発明が解決しようとする課題】
【０００４】
本発明が解決しようとする課題は、従来のこれらの問題点を解消し、少ない部材で作業に伴う労力を低減できる施工性及び経済性に優れる補強筋法面工を提供することにある。第２の課題は施工後に法面から部材が突出しないようにし、植生後に部材を早期に見えなくして優れた景観にできるとともに歩行時も安全なものとする補強筋法面工を提供することにある。
【課題を解決するための手段】
【０００５】
かかる課題を解決した本発明の構成は、
１）  法面地盤に複数の地中アンカーを所定間隔おいて打設して法面からアンカー引張部材の頭部を突出させ、打設した法面に植生マットを敷設し、植生マットの上面に保護ネットを重ねて敷設し、板材の中央部を穿孔して押えプレートとし、同押えプレートの孔を地中アンカーのアンカー引張部材の頭部に挿入して植生マットと保護ネットを法面に押し付け、押えプレートとアンカー引張部材の頭部とを締具により締着し、植生マットと保護ネットを法面に固定して保護・緑化できるようにしたことを特徴とする、補強筋法面工
２）  地中アンカーの打設が、法面地盤を掘削した削孔に固化材を注入し、同固化材の硬化前にアンカー引張部材をその頭部が露出するようにして削孔に挿入し、固化材を硬化させてアンカー引張部材を固定するようにしたものである、前記１）記載の補強筋法面工
３）  法面地盤に複数の地中アンカーをそのアンカー引張部材の頭部が法面から突出しないように所定間隔おいて打設し、打設した法面に植生マットを敷設し、植生マットの上面に保護ネットを重ねて敷設し、上方が開放され且つ底部が穿孔された筒体の開放縁部に板状の押え片を形成して押えプレートとし、同押えプレートの筒体を地中に埋入しながら筒体の孔をアンカー引張部材の頭部に挿入して植生マットと保護ネットを押え片で法面に押し付け、押えプレートとアンカー引張部材の頭部とを押えプレートの筒体内で締具により締着して植生マットと保護ネットを法面に固定し、アンカー引張部材の頭部を法面から突出させないようにして法面を保護・緑化できるようにしたことを特徴とする、補強筋法面工
４）  締着した押えプレートの筒体内に固化材を充填して被覆し、押えプレートの上面を平坦に形成できるようにした、前記３）記載の補強筋法面工
５）  地中アンカーの打設が、法面地盤を掘削した削孔にアンカー引張部材の頭部が露出できる量の固化材を注入し、同固化材の硬化前にアンカー引張部材をその頭部が露出するようにして削孔に挿入し、固化材を硬化させてアンカー引張部材を固定するようにしたものである、前記３）又は４）いずれか記載の補強筋法面工
６）  地中アンカーの打設が、法面地盤にアンカー引張部材を直接圧入し、地盤との摩擦力でアンカー引張部材を固定するようにしたものである、前記１）〜５）いずれか記載の補強筋法面工
７）  押えプレートに小孔を複数形成し、小孔を通じて植物が押えプレートの上方に植生できるようにした、前記１）〜６）いずれか記載の補強筋法面工
にある。
【発明の効果】
【０００６】
本発明によれば、従来と比較して重量を有する多数の連接部材を必要としないから労力を低減でき、作業性が良好で経済的に実施できる。また、地中アンカーを法面から突出しないように打設し、押えプレートの筒体を地中に埋入させて締着させるものは、法面に突起物が無くほぼ平坦に施工でき、植生後は早期に部材が隠れて見えなくなるとともに歩行時も安全なものとなる。
【発明を実施するための最良の形態】
【０００７】
本発明の地中アンカーの打設は、削孔にモルタル等の固化材を注入してアンカー引張部材を挿入して固化材を硬化させる方法や、アンカー引張部材を直接地中へ打撃圧入する方法によるものがあり、地盤の土質等に応じて選ばれる。押えプレートは金属やその他アンカーとしての必要強度を有する材料で構成され、必要に応じて任意の色に着色して目立たなくさせることもできる。植生マットとしては、植生布，自然の植生材，芝，種子入りの不織布等がある。保護ネットとしては、金網，硬質なプラスチックネットなどがあり、できるだけ目の粗いものを用いて植生を阻害しないようにする。以下、本発明の各実施例を図面に基づいて具体的に説明する。
【実施例１】
【０００８】
図１〜６に示す実施例１は、崩壊した法面を地中アンカーで安定させるとともに全面に植物を植生させ、土壌侵食を抑えながら景観に優れる緑化法面を形成する例である。図１は実施例１の施工後の法面の断面図、図２は実施例１の押えプレートの斜視図、図３，４は実施例１の施工工程の説明図、図５は実施例１の押えプレートの締着状態を示す拡大断面図、図６は実施例の施工後の法面の平面図である。
【０００９】
図中、１は地中アンカー、２はアンカー引張部材、２ａは頭部、３は削孔、４は植生マット、５は保護ネット、６は押えプレート、６ａはアンカー孔、６ｂは小孔、７はワッシャー、８はナット、８ａは保護キャップ、９はバックホウ、９ａはオーガ、Ｇは地盤、Ｍはモルタル、Ｎは法面である。
【００１０】
実施例１では、まず崩壊した法面Ｎをショベル等の重機で平坦に整形し、図３（ａ）に示すようにバックホウ９に取り付けたオーガ９ａで法面Ｎを直角（所定角度をつける場合もある）に掘削して深さ２〜１６ｍ程度（実施例１では３ｍ）の削孔３を１．４ｍ等変間隔に複数形成する。
【００１１】
次に、図３（ｂ）に示すように削孔３にモルタルＭを注入し、モルタルＭが硬化する前に長さ２〜１６ｍ程度（本実施例では３ｍ）の棒鋼からなるアンカー引張部材２をその頭部２ａが法面Ｎから若干突出するように挿入し、図４（ａ）に示すように種子入りの不織布からなる植生マット４を法面Ｎに敷設し、１０ｃｍ間隔に格子状に形成された金属製の保護ネット５を植生マット４の上面に重ねて敷設する。
【００１２】
次に、モルタルＭが硬化すると、図４（ｂ）に示すようにアンカー引張部材２に押えプレート６を取り付ける。押えプレート６は、図２に示すように中央部に３０ｍｍのアンカー孔６ａが形成された厚さ６ｍｍ，縦横が３００ｍｍの鋼板からなり、アンカー孔６ａの周囲に複数の小孔６ｂを形成している。
【００１３】
この押えプレート６のアンカー孔６ａを図５に示すようにアンカー引張部材２の頭部２ａに挿入して植生マット４と保護ネット５を法面Ｎに押え付け、露出したアンカー引張部材２の頭部２ａにワッシャー７とナット８を螺挿してラチェット等で強く締め付け、植生マット４と保護ネット５を法面Ｎに固定する地中アンカー１を構成する。その後、モルタルＭを詰めた保護キャップ８ａでアンカー引張部材２の頭部２ａとナット８を被せて内部をモルタルＭで充填し、モルタルＭを硬化させて図１，６に示す法面Ｎに仕上げる。
【００１４】
このように、実施例１では従来のように重量を有する多数本の連接部材を用いず、小型の鋼板からなる押えプレート６で植生ネット４と保護ネット５を押え付けるようにしたから、従来と比較して労力を低減でき、作業性が良好で経済的に実施できるようになった。また、押えプレート６の小孔６ｂからも植生して、ほぼ完全に部材を隠して緑化できた。
【実施例２】
【００１５】
図７〜１３に示す実施例２は、実施例１の平型の押えプレートに代えて凹所を備えた押えプレートを用い、突起物を無くして平坦な法面に施工する例である。図７は実施例２の施工後の法面の断面図、図８は実施例２の押えプレートの斜視図、図９は図８のＡ−Ａ断面図、図１０，１１は実施例２の施工工程の説明図、図１２は実施例２の押えプレートの締着状態を示す拡大断面図、図１３は実施例２の施工後の法面の平面図である。図中、１０は押えプレート、１０ａは筒体、１０ｂはアンカー孔、１０ｃは押え片、１０ｄは小孔である。
【００１６】
実施例２では、まず崩壊した法面Ｎをショベル等の重機で平坦に整形し、図１０（ａ）に示すようにバックホウ９に取り付けたオーガ９ａで法面Ｎを直角（所定の角度をつける場合もある）に掘削して深さ２〜１６ｍ程度（実施例２では３ｍ）の削孔３を１．４ｍ等変間隔に複数形成する。
【００１７】
次に、図１０（ｂ）に示すように削孔３に法面Ｎからおよそ１０ｃｍ残す量のモルタルＭを注入し、図１２（ａ）に示すようにモルタルＭが硬化する前に長さ２〜１６ｍ程度（本実施例では３ｍ）の棒鋼からなるアンカー引張部材２をその頭部２ａが法面Ｎから突出しないように挿入して頭部２ａをモルタルＭから露出し、図１１（ａ）に示すように種子入りの不織布からなる植生マット４を法面Ｎに敷設し、１０ｃｍ間隔に格子状に形成された金属製の保護ネット５を植生マット４の上面に重ねて敷設する。
【００１８】
次に、モルタルＭが硬化すると、図１１（ｂ）に示すようにアンカー引張部材２に押えプレート１０を取り付ける。押えプレート１０は、図２，３に示すように上面が開放され底面に３０ｍｍのアンカー孔１０ｂが形成された鋼管からなる筒体１０ａの開口縁部に厚さ６ｍｍ，縦横が３００ｍｍの鋼板からなる押え片１０ｃを溶着し、押え片１０ｃに複数の小孔１０ｄを形成している。
【００１９】
この押えプレート１０のアンカー孔１０ｂを図１２（ｂ）に示すようにアンカー引張部材２の頭部２ａに挿入しながら筒体１０ａを地中に埋入して植生マット４と保護ネット５を押え片１０ｃで法面Ｎに押え付け、筒体１０ａ内に露出したアンカー引張部材２の頭部２ａにワッシャー７とナット８を螺挿してラチェット等で強く締め付け、植生マット４と保護ネット５を法面Ｎに固定する地中アンカー１を構成する。
【００２０】
その後、押えプレート１０の筒体１０ａ内にモルタルＭを充填して閉塞し、モルタルＭを硬化させて図７，１３に示す法面Ｎに仕上げる。このようにして施工された法面Ｎは、表面に従来のような突起物がなく平坦に形成されており、植生後は早期に部材が隠れて見えなくなるとともに歩行時も安全なものとなった。また、押えプレート１０の小孔１０ｄからも植生して、ほぼ完全に部材を隠して緑化できた。その他、符号、構成は実施例１と同じである。
【００２１】
図１４に示すのは、実施例２の地中アンカーの打設の他の例である。図１４は実施例２の他の例の地中アンカーの打設を示す説明図である。図中、１１はガイドレール、１２はウインチ、１３はワイヤー、１４は支柱、１５はジャックハンマー、１６は間知ブロックである。図１４に示す方法では、法面Ｎに沿ってガイドレール１１を縦方向に配設し、ガイドレール１１の頂部にウインチ１２を取り付け、打設すべき箇所の近接位置に支柱１４を建ててウインチ１２のワイヤー１３で支持し、支柱１４にジャックハンマー１５を取り付けてアンカー引張部材２を地盤Ｇへ打撃圧入していく。この直打ちは人力の他に規模や法面Ｎの角度等に応じてバックホウ等の重機を用いて行ってもよい。その他、符号、構成は実施例２と同じである。
【産業上の利用可能性】
【００２２】
本発明の補強筋法面工は、崩壊した法面又は崩壊し易い法面の保護，緑化に有用である。
【図面の簡単な説明】
【００２３】
【図１】実施例１の施工後の法面の断面図である。
【図２】実施例１の押えプレートの斜視図である。
【図３】実施例の施工工程の説明図である。
【図４】実施例の施工工程の説明図である。
【図５】実施例の押えプレートの締着状態を示す拡大断面図である。
【図６】実施例の施工後の法面の平面図である。
【図７】実施例２の施工後の法面の断面図である。
【図８】実施例２の押えプレートの斜視図である。
【図９】図８のＡ−Ａ断面図である。
【図１０】実施例２の施工工程の説明図である。
【図１１】実施例２の施工工程の説明図である。
【図１２】実施例２の押えプレートの締着状態を示す拡大断面図である。
【図１３】実施例２の施工後の法面の平面図である。
【図１４】実施例２の他の例の地中アンカーの打設を示す説明図である。
【符号の説明】
【００２４】
１  地中アンカー
２  アンカー引張部材
２ａ  頭部
３  削孔
４  植生マット
５  保護マット
６  押えプレート
６ａ  アンカー孔
６ｂ  小孔
７  ワッシャー
８  ナット
８ａ  保護キャップ
９  バックホウ
９ａ  オーガ
１０  押えプレート
１０ａ  筒体
１０ｂ  アンカー孔
１０ｃ  押え片
１０ｄ  小孔
１１  ガイドレール
１２  ウインチ
１３  ワイヤー
１４  支柱
１５  ジャックハンマー
１６  間知ブロック
Ｇ  地盤
Ｍ  モルタル
Ｎ  法面
【図１】
2007039974.tif 000003
【図２】
2007039974.tif 000004
【図３】
2007039974.tif 000005
【図４】
2007039974.tif 000006
【図５】
2007039974.tif 000007
【図６】
2007039974.tif 000008
【図７】
2007039974.tif 000009
【図８】
2007039974.tif 000010
【図９】
2007039974.tif 000011
【図１０】
2007039974.tif 000012
【図１１】
2007039974.tif 000013
【図１２】
2007039974.tif 000014
【図１３】
2007039974.tif 000015
【図１４】
2007039974.tif 000016